(57)【要約】      （修正有）【課題】携帯電話機での統合的ＦＡＸ送受信システムと利用しやすい情報配信システムを構築する。【解決手段】移動通信機能が付加された携帯型ゲーム機等の携帯電話機に単独しての操作・機能を有するＦＡＸキーを作成し、ＦＡＸキーの操作・機能で、携帯電話機の画面に生成される指示部からＦＡＸの送信・受信指令を出す携帯電話機と、ＦＡＸキーを有する携帯電話機の電話番号に対応するＦＡＸ送受信用サーバーを配し、ＦＡＸキーを有する携帯電話機からの指令を受けて、ＦＡＸキー・サーバーでＦＡＸの送信・受信を統合的に行う。【選択図】図１
2009141974.tif 000002
【特許請求の範囲】
【請求項１】
携帯電話、ＰＨＳ、ＰＤＡ（Ｐｅｒｓｏｎａｌ  Ｄｉｇｉｔａｌ  Ａｓｓｉｓｔａｎｔ）、移動通信機能が付加された携帯型ゲーム機等の移動通信機器（以下、これらを総称して携帯電話機と称す）に単独しての操作・機能を有するＦＡＸキーを作成し、ＦＡＸキーの操作・機能で、携帯電話機の画面に生成される指示部からＦＡＸの送信・受信指令を出す携帯電話機と、ＦＡＸキーを有する携帯電話機の電話番号に対応するＦＡＸ送受信用サーバー（以下、ＦＡＸキー・サーバーと称す）を配し、ＦＡＸキーを有する携帯電話機からの指令を受けて、ＦＡＸキー・サーバーでＦＡＸの送信・受信を統合的に行う方法。
【請求項２】
請求項１の携帯電話機のＦＡＸキーの操作及び入力は、携帯電話機の音声通話、メールの送受信、ｗｅｂページの閲覧の時でも受付けるものとし、携帯電話機の操作部分のボタン式キー列に単独に配された押下式ボタン型スイッチか、携帯電話機の画面上に作成されたアイコン型のキーからなり、アイコン型ＦＡＸキーの場合、携帯電話機の電源投入しての起動時から画面の下部か左右のいずれかに配置され、携帯電話機の音声通話、メールの送受信、ｗｅｂページの閲覧、カメラ機能等の操作にかかわる時でも、常時ＦＡＸキーを表示し、操作はタッチパネル式か指示ポインタ式とする携帯電話機。
【請求項３】
請求項１〜２の携帯電話機で、移動体通信網を含む一般公衆回線を介してＦＡＸの受信がある時、ＦＡＸキーの操作により、通話をＦＡＸキー・サーバーへ転送して、ＦＡＸキー・サーバーでのＦＡＸ手動受信方法。あるいは、ＦＡＸキーを有する携帯電話機の電話帳に予め登録されたＦＡＸ電話番号からの着信があれば、通話をＦＡＸキー・サーバーへ自動的に転送して、ＦＡＸキー・サーバーでのＦＡＸ自動受信方法。
【請求項４】
オプションにて、ＦＡＸキーを有する携帯電話機の電話番号に連関する電話番号を付与し、オプション電話番号への着信を、自動的にＦＡＸキー・サーバーへ転送して、ＦＡＸを直接自動受信する方法。
【請求項５】
請求項３・４のＦＡＸ受信後、ＦＡＸキー・サーバーよりＦＡＸ受信完了識別信号を携帯電話機が受け、ＦＡＸキーは、発光・変色・点滅し、着信音か着信電子メールでＦＡＸ原稿受信を知らせ、受信したＦＡＸ原稿を全て閲覧状態にしなければ、ＦＡＸキーの発光・変色・点滅の状態を維持する事を特徴とする携帯電話機。
【請求項６】
ＦＡＸキーを有する携帯電話機の、内部及び外部メモリーに保存されているテキスト文やＰＤＦファイルを含む画像からなるファイルを、ＦＡＸキーの操作でＦＡＸキー・サーバーに送り、ＦＡＸキー・サーバーが受け取ったファイルからＧ３規格のＦＡＸ原稿を生成して、携帯電話機の電話帳に予め登録されたＦＡＸ電話番号や指定のＦＡＸ電話番号に、ＦＡＸキー・サーバーが、一般公衆回線を通してＦＡＸ送信する方法。
【請求項７】
ＦＡＸキーを有する携帯電話機で、受信した電子メール及び作成した電子メールを、ＦＡＸキーの操作・指示でＦＡＸキー・サーバーに送り、前項同様にＦＡＸ原稿を生成して、携帯電話機の電話帳に予め登録されたＦＡＸ電話番号番号や指定のＦＡＸ電話番号に、ＦＡＸキー・サーバーが、一般公衆回線を通してＦＡＸ送信する方法。
【請求項８】
ＦＡＸキーを有する携帯電話機のＦＡＸキーの操作・指示で、ＦＡＸキー・サーバーにて作成された、ＦＡＸキーを有する携帯電話機の電話番号に対応したｗｅｂページを介して、ＦＡＸキー・サーバー内にある受信・保存・送信済の各部からＦＡＸ原稿を選択して、携帯電話機の電話帳に予め登録されたＦＡＸ電話番号番号や指定のＦＡＸ電話番号番号に、一般公衆回線を通してＦＡＸ送信する方法。
【請求項９】
ＦＡＸキーを有する携帯電話機のカメラ機能で、撮影直後に携帯電話機のバッファーメモリー上にある写真ファイルを、ＦＡＸキーの操作・指示でＦＡＸキー・サーバーに送り、請求項６と同様にＦＡＸ原稿を生成して、携帯電話機の電話帳に予め登録されたＦＡＸ電話番号や指定のＦＡＸ電話番号に、ＦＡＸキー・サーバーが、一般公衆回線を通してＦＡＸ送信する方法。
【請求項１０】
ＦＡＸキーを有する携帯電話機が、携帯電話機専用サイト、或いはフルブラウザ機能を使ってｗｅｂページを閲覧中、ｗｅｂページのＵＲＬをＦＡＸキーの操作・指示で、ＦＡＸキー・サーバーに送り、ＦＡＸキー・サーバーがＵＲＬに基づき、ｗｅｂページを記述するＨＴＭＬ文書等からＦＡＸ原稿を生成して、電話帳に予め登録されたＦＡＸ電話番号や指定のＦＡＸ電話番号に、一般公衆回線を通してＦＡＸ送信する方法。
【請求項１１】
前項ｗｅｂページのＦＡＸ送信方法で、ＦＡＸキーを有する携帯電話機に対応した専用サイトを構築して、テキスト文や画像等からなる情報をＦＡＸキーの操作で、電話帳に予め登録されたＦＡＸ電話番号や指定のＦＡＸ電話番号、或いはサイトが指定したＦＡＸ電話番号に、ＦＡＸキー・サーバーが、一般公衆回線を通してＦＡＸ送信する方法。
【請求項１２】
請求項１０の専用サイトで、ＦＡＸ送信において、情報料金や物品・サービス販売代金が発生する場合、該サイト開設者や移動通信事業者が、ＦＡＸ送信通信料に料金・代金を課金し、ＦＡＸキーの操作で、電話帳に予め登録されたＦＡＸ番号や指定のＦＡＸ番号、或いはサイト指定のＦＡＸ番号に、ＦＡＸキー・サーバーが、一般公衆回線を通してＦＡＸ送信する方法。
【請求項１３】
請求項１０のＦＡＸキーを有する携帯電話機及びＦＡＸキー・サーバーに対応した専用サイトで、ＦＡＸ送信通信料がサイト負担と表記があれば、ＦＡＸ送信通信料をサイト開設者に課金してＦＡＸ送信する方法。
【請求項１４】
前項までで使用するＦＡＸキー・サーバーは、一般公衆回線とインターネット網に適時及び常時接続され、ＦＡＸキーを有する携帯電話機の電話番号に対応してのＧ３規格の白黒並びにカラーのＦＡＸ送受信機能を有し、ＦＡＸ原稿の受信・保存・送信済・通信記録用の一定容量の保存領域を作成し、受信・送信済の領域は、容量を超えた場合、古い順で容量を超えたＦＡＸ原稿から消去するを特徴とするＦＡＸの送信・受信方法。
【請求項１５】
請求項１４でのＦＡＸキー・サーバーは、ＦＡＸキーを有する携帯電話機のＦＡＸ送受信の通信記録を管理する保存領域を有し、ＦＡＸ送信通信料と請求項１２・１３の料金・代金を保安・保全するを特徴とするＦＡＸの送信・受信方法。
【請求項１６】
ＦＡＸキー・サーバーに受信・蓄積・保存されたＦＡＸ原稿の閲覧は、携帯電話機では、ＦＡＸキーの操作で行い、閲覧操作中、ＦＡＸ原稿をＦＡＸキー・サーバーに保存・削除・送信及び携帯電話機への取込みが選択操作ができ、また、パソコンでも、ＦＡＸキー・サーバーのｗｅｂページにアクセスして同様の操作ができるを特徴とする、ＦＡＸキー・サーバーを使用してのＦＡＸの送信・受信方法。
【発明の詳細な説明】
【技術分野】
【０００１】
本発明は、一般公衆回線に接続されたＦＡＸ機器と携帯電話機・ＰＨＳ・ＰＤＡ（Ｐｅｒｓｏｎａｌ  Ｄｉｇｉｔａｌ  Ａｓｓｉｓｔａｎｔ）・移動通信機能が付加された携帯型ゲーム機等の移動通信機器（以下、携帯電話機と称す）とのＦＡＸの送受信方法と、その送受信に必要なＦＡＸキーを有する携帯電話機とＦＡＸ送受信用サーバーに関する。
【背景技術】
【０００２】
近年、携帯電話機の普及・発達は著しく、音声通話に止まらず、インターネットのｗｅｂページの閲覧や電子メールなどの様々な機能やサービスが提供されている。携帯電話機でのＦＡＸの送受信の需要はあり、ＦＡＸの送信や受信の個々のサービス・機能は提供されている。
【０００３】
それは、外出先でのＦＡＸの送受信の需要に止まらず、インターネット網のない処や通信電波状態の悪い処でも一般公衆回線の整備は行き届いており、そのような通信環境下で、携帯電話機と文字や画像データを交信する手段は、現時点ではＦＡＸ機のみである。
【０００４】
同じ事は、幼齢や老齢等で携帯電話機やパソコンの使用技術の習熟度の低い者や、時間的・経済的・技術的な制約のある個人や事業者が、手軽に携帯電話機と文字や画像データを交信する手段は、現時点ではＦＡＸ機のみであると言える。
【特許文献１】特開２００２−１５２４５２号
【特許文献２】特開２００１−３０６４６９号
【発明の開示】
【発明が解決しようとする課題】
【０００５】
しかしながら、これまで提供されている携帯電話機でのＦＡＸ送受信の機能やサービスでは、ＦＡＸの受信のみであったり、送信のみであったりの一単機能や、パソコン等の外部機器と携帯電話機を接続して、携帯電話機のモデム機能を使用してのＦＡＸの送受信しかなかった。
【０００６】
本発明は、かかる点を鑑みてなされたものであり、携帯電話機にＦＡＸキーを配し、ＦＡＸキーの操作で簡単で統合されたＦＡＸの送受信方法および携帯電話機装置を提供する事を目的とする。
【０００７】
また、この携帯電話機のＦＡＸの送受信方法を使用して、手軽に利用できる情報配信方法を構築する事も目的とする。
【課題を解決するための手段】
【０００８】
本発明は、単独の操作と機能を有するＦＡＸキーを配した、携帯電話機・ＰＨＳ・ＰＤＡ（Ｐｅｒｓｏｎａｌ  Ｄｉｇｉｔａｌ  Ａｓｓｉｓｔａｎｔ）・移動通信機能が付加された携帯型ゲーム機等の移動通信機器（以下、これらを総称して携帯電話機と称す）と、移動無線通信及びインターネット網を介して接続された、その携帯電話機の電話番号に対応するＦＡＸ送受信用サーバーと、ｗｅｂサーバー、一般公衆回線及びインターネット網、ＦＡＸキー対応ｗｅｂページと、パソコン、一般公衆回線に接続されたＦＡＸ機器で構成される。ここで言うＦＡＸ機器には、モデムが装着されたパソコンや、インターネットＦＡＸ機器（Ｉ−ＦＡＸ）等の一般公衆回線を通してＧ３規格のＦＡＸ送受信可能な通信機器も含まれる。
【０００９】
ＦＡＸの送受信は、携帯電話機のＦＡＸキー操作による指示で、その電話番号に対応したＦＡＸ送受信用サーバー（以下ＦＡＸキー・サーバー）が行い一元管理する。ＦＡＸキー・サーバーの管理運営者と携帯電話機のユーザーとの契約で、ＦＡＸキーを使用した機能・サービス提供される。携帯電話機とＦＡＸキー・サーバーとの交信時、携帯電話番号や携帯電話機固有の識別番号を遣り取りし、これにより、ＦＡＸの送受信の通信記録に止まらず料金・代金も管理して、セキュリティーもここで担保する。
【００１０】
本発明の請求項１・２の携帯電話機のＦＡＸキーで、ボタン型ＦＡＸキーは、携帯電話機上に配置された、操作ボタンである１〜１０の１０キー・発信キー・着信キーと同様に携帯電話機の操作部に配されている物理的な押下式ボタン型キーである。アイコン型ＦＡＸキーは、携帯電話機の画面上にタッチパネル方式か指示ポインター方式のアイコンとして配されたキーであり、該携帯電話機に最初から組込まれているか、追加組込みが可能な場合、該携帯電話機のＯＳ上で使用するプログラミング言語で作成されたプログラムをダウンロードして追加されたアイコン型キーである。アイコン型ＦＡＸキーは、携帯電話機の電源投入起動時には画面の上部か下部あるいは左右のいずれかに配置され、機能が効力を発す。
【００１１】
ＦＡＸキーの指示命令入力は、ＦＡＸキーの操作で携帯電話機の画面上に生成されるにポップアップ階層式入力枠で行い、タッチパネル式アイコン型ＦＡＸキー以外は、携帯電話機のＦＡＸキー・数字・文字入力用１０キーと通常携帯電話機に備わる項目移動キー・項目確定キーと、画面上を自在に動き廻れる指示ポインターがあれば、それも使って行う。タッチパネル式アイコン型ＦＡＸキーは、その機種のタッチパネル仕様に則って操作・入力を行う。通常、ＦＡＸキーの操作で入力を伴うのは、１０キーを用いての送信先電話番号だが、日本語変換システムを使って、送信ＦＡＸ原稿のヘッダに、全角３０字程度のテキスト文入力部を付加してもよい。
【００１２】
請求項３のＦＡＸの受信において、送信元より通知される電話番号が携帯電話機の電話帳に予め登録されたＦＡＸ番号なら、ＦＡＸキー・サーバーに通信転送をして、受信指令を出しＦＡＸ受信をさせる自動受信方法と、電話の着信時に、発信元のＦＡＸ機からのＣＮＧ（コーリング）信号の「ポー」「ポー」と聞こえた時や、電話・ＦＡＸ兼用機からの音声通話の後に先方よりのＦＡＸ送信がある時、ＣＮＧ信号を受信後、ＦＡＸキーを押し、ＦＡＸキーを有する携帯電話機から、ＦＡＸキー・サーバーに通信転送をして、受信指令を出しＦＡＸ受信をさせる手動受信方法がある。
【００１３】
請求項４の受信方法は、オプションで割振った電話番号でのＦＡＸ受信は、携帯電話機を介さず、通信をＦＡＸキー・サーバーへ直接転送して、ＦＡＸ受信をする方法である。
【００１４】
請求項３・４のいずれの受信方法において、ＦＡＸキー・サーバーは受信したＦＡＸ原稿を内部のＦＡＸ受信部へ格納する。ＦＡＸ受信完了後、ＦＡＸキー・サーバーは携帯電話機に受信完了識別信号を送り、信号を受取った携帯電話機は、ＦＡＸキーの発光・変色・点滅のいずれかと着信音でＦＡＸ原稿の受信を知らせる。受信した全ＦＡＸ原稿の閲覧・削除を行わず、ＦＡＸキー・サーバーよりの閲覧完了識別信号受信しなければ、携帯電話のＦＡＸキーは発光・変色・点滅の状態を維持する構成を採る。
【００１５】
請求項４のオプションの電話番号でのＦＡＸキー・サーバー直接自動受信や、請求項３の自動及び手動受信中に携帯電話機の通信電波状態が悪く、ＦＡＸキー・サーバーが携帯電話機に受信完了識別信号を送信できない時は、ＦＡＸキー・サーバーは電子メールにてＦＡＸの受信を知らせる。その後、携帯電話機とＦＡＸキー・サーバーが接続された時点で、再度、受信完了識別信号を送り、ＦＡＸキーの発光・変色・点滅のいずれかと着信音でＦＡＸの受信を知らせる。
【００１６】
受信したＦＡＸ原稿及び保存・送信済ＦＡＸ原稿の閲覧においては、ＦＡＸキーの操作で携帯電話機の画面に生成される階層的命令枠の指示で行い、ＦＡＸキー・サーバーの受信部・保存部・送信済部にある指定したＦＡＸ原稿を、ＦＡＸキー・サーバーのｗｅｂページでＦＡＸ原稿からＨＴＭＬ文書に変換する指令を出し、閲覧する。この時、ＦＡＸキー・サーバーは、受信したＦＡＸ原稿を全てが閲覧状態になれば、閲覧完了識別信号を携帯電話機に返し、ＦＡＸキーの発光・変色・点滅を解除する。
【００１７】
請求項６・７・８のＦＡＸ送信においては、ＦＡＸキーの操作で携帯電話機の画面に生成される階層的命令枠の入力でＦＡＸ送信する方法である。この操作では、携帯電話機の保存・格納用のメモリー（携帯電話機本体及び付帯のカードメモリー）上のテキストファイルや画像ファイル（ＰＤＦファイルを含む）をＦＡＸキー・サーバーに送り、ＦＡＸキー・サーバーでＦＡＸ原稿に変換して、指定番号のＦＡＸ機器へ公衆回線を通じて送信する構成を採る。
【００１８】
この構成によれば、携帯電話機からＦＡＸキー・サーバーへ送られるファイルは、携帯電話機と移動通信電話会社で扱える文書・画像ファイルの種類と容量サイズである。ＦＡＸキー・サーバーで取り扱えるファイルもこれに合わせればよい。
【００１９】
請求項８のＦＡＸ送信によれば、ＦＡＸキーの操作で携帯電話機の画面に生成される命令枠で、ＦＡＸキー・サーバーの受信部・保存部・送信済部にあるＦＡＸ原稿を指定して、指定番号のＦＡＸ機器へ公衆回線を通じて送信する構成を採る。
【００２０】
請求項９のＦＡＸ送信によれば、携帯電話機のカメラで撮影直後のみＦＡＸ送信でき、ＦＡＸキーの操作で、一時保管用のバッファーメモリー上にある写真ファイルをＦＡＸキー・サーバーに送り、ＦＡＸキー・サーバーでＦＡＸ原稿に変換して、指定番号のＦＡＸ機器へ公衆回線を通じて送信する構成を採る。
【００２１】
請求項１０のＦＡＸ送信によれば、ｗｅｂページを閲覧中にＦＡＸキーの操作をした時のみＦＡＸ送信でき、ＦＡＸキーの指示で閲覧中のｗｅｂページのＵＲＬをＦＡＸキー・サーバーに送り、ＦＡＸキー・サーバーは、その取得したＵＲＬのｗｅｂページからＦＡＸ送信用原稿を生成して、指定されたＦＡＸ機器へ公衆回線を通じて送信する構成を採る。
【００２２】
いずれのＦＡＸ送信においても、送信先を携帯電話機自身の電話番号を指定した場合、公衆回線を通さず、ＦＡＸキー・サーバーの受信部へ、ＦＡＸ原稿を直接格納する構成を採る。
【００２３】
ＦＡＸ送信の費用は、通常は携帯電話機の使用者である所有者課金とするが、請求項１０・１１・１２・１３の閲覧中のｗｅｂページのＦＡＸ送信の場合、ｗｅｂページにＦＡＸ送信料負担と表示され、ＦＡＸ送信料ｗｅｂページ開設者負担の識別信号をＦＡＸキー・サーバーに送られた時は、該ｗｅｂページ開設者に送信費用を課金する。この場合のＦＡＸ送信先は該開設者により決められ、該開設者の指定先や、送信先の入力を求められる。
【００２４】
請求項１０・１１・１２・１３のＦＡＸの送受信において、情報料金や物品・サービス販売代金が発生する場合、ＦＡＸキーを有する携帯電話機に対応した専用サイトで、決済には現金と、クレジットカードやデビッドカードを使って、クレジットカード番号やデビッドカード番号と暗証番号と有効期限を入力させて課金する方法と、携帯電話機に備わるＩＣチップを利用した、所謂おサイフケイタイ（ＦｅｌｉＣａチップ（ＩＣチップ））機能の課金システムを利用する方法がある。
【００２５】
前段の構成によれば、現金以外の決済をとれば、物品や情報の販売・受注用及び決済までの自己完結機能のある商用ｗｅｂページを構築できる。うどん屋や宅配ピザ店等の飲食店では、店頭に設置したＦＡＸ機器だけで、手軽で時間的速さに優れたネット受注システムが構築できる。また、催し物等のチケット配給システムや情報配信システムも同様に構築できる。ＦＡＸキーを有する携帯電話機とＦＡＸキー・サーバーを通してのＦＡＸ送信を用いる事で、携帯電話機の使用者を特定でき、情報配信のセキュリティー面を担保できる。
【００２６】
請求項１・２の携帯電話機のＦＡＸキーの制御は、ＦＡＸキーを有する該携帯電話機の仕様によるＯＳ上で使用するプログラミング言語で記述され、次の構成と機能を有している。
構成
＊押下げ型ボタンかアイコン型キーからなるキースイッチ部
＊送受信の指示・命令を出すプログラム部
機能
＊携帯電話機画面に指令・命令枠作成機能
＊携帯電話機内の電話帳やファイル等の検索・参照・指定機能
＊着信電話番号と携帯電話機内の電話帳のＦＡＸ電話番号との対比・検索機能
＊着信通話（ＦＡＸ受信）の自動および手動転送機能
＊指定ＵＲＬ（ＦＡＸキー・サーバー）との通信・閲覧機能
＊ＦＡＸキーの発光・変色・点滅、音声等及び電子メールでの受信通知機能および解除機能
【００２７】
請求項１４・１５・１６のＦＡＸキー・サーバーは、次の構成と機能を有している。
構成
＊一般公衆回線との接続部（モデム部）
＊インターネット網との接続部（ＩＰ部）
＊入出力部（Ｉ／Ｏ部）および命令受付部
＊中央演算処理部（ＣＰＵ部）
＊プログラム部
＊ＦＡＸ原稿受信・保存部
＊ＦＡＸ原稿送信・送信済部
＊通信管理部
機能
＊Ｇ３規格の白黒並びにカラーＦＡＸ原稿の送受信機能
＊ＦＡＸ原稿（Ｇ３規格)のＨＴＭＬ文書・画像文書（ＰＤＦも含む）への変換機能
＊ＨＴＭＬ文書・テキスト文書・画像文書（ＰＤＦも含む）のＦＡＸ原稿（Ｇ３規格）への変換機能
＊ＦＡＸ送受信通信・料金管理機能
＊送信元情報通知機能
＊携帯電話機との通信用ｗｅｂページ機能
＊パソコン等との通信用ｗｅｂページ機能
【発明の効果】
【００２８】
本発明のＦＡＸキーを有する携帯電話機は、ＦＡＸキーの操作でＦＡＸの送受信を統合的に行い、携帯電話機で扱えるファイルやｗｅｂページがＦＡＸ送受信の対象となり得る。外出中、ＦＡＸ原稿を訪問先や公衆ＦＡＸ機を利用して紙文書として取出すことや、携帯電話機のカメラをスキャナーとして利用することで、紙文書を含めカメラで映し出せる物全てがＦＡＸ送信の対象になり、これまでの固定されたＦＡＸ機では想定し得なかった場面までＦＡＸ送受信が可能になる。また、ＦＡＸキー・サーバーと対応専用ｗｅｂページを利用することで、紙文書の介在が必要な、物品や情報の配信システムを構築することができる、
【発明を実施するための最良の形態】
【００２９】
以下、発明の実施例の形態について図面を参照して説明する。図１・２・３はＦＡＸキーを有する携帯電話機である。図１は、１〜１０の１０キー・発信キー・着信キー等と同様に携帯電話機の操作部に配されている物理的なボタン押下式ＦＡＸキーである。図２は、操作がタッチパネル式の携帯電話機の画面に配されたアイコン型ＦＡＸキーである。図３は、二つ折り型携帯電話機の画面に配されたアイコン型ＦＡＸキーである。図１・２・３の携帯電話機のいずれのＦＡＸキーも、ＦＡＸキーの制御は、ＦＡＸキーを有する該携帯電話機の仕様によるＯＳ上で使用するプログラミング言語で記述され、携帯電話機の電源投入起動時には機能が効力を発す。
【００３０】
図４は、本発明の実施の形態に係る、ＦＡＸキーを有する携帯電話機とＦＡＸキー・サーバーを使用したＦＡＸ送受信に関与する各種機器と、一般公衆回線・インターネット網との接続状態を表す概略図である。図の簡単化で、ＦＡＸキー・サーバーは２機しか示されていないが、実際の運用では、インターネット網と接続されて多数存在する。ＦＡＸ送信時、ＦＡＸキー・サーバーはｗｅｂサーバーを介して管理され、送信先電話番号に最寄りの公衆回線に接続されたＦＡＸキー・サーバーよりＦＡＸ送信をして、通信料の逓減を図る事とする。
【００３１】
図５・６・７は、ＦＡＸキーを有する携帯電話機で、ＦＡＸ受信時の画面の表示例である。携帯電話機に電話が掛かり、通知電話番号が電話帳のＦＡＸ電話番号に存在すれば、通信をＦＡＸキー・サーバーに転送して、図５の受信中の画面を立ち上げる。図６は、携帯電話機で通話後、発信元からＣＮＧ（コーリング）信号を受け、ＦＡＸキーを操作した時の画面である。ここで、受信する場合、項目移動キーか数字キーで１を選択したら、通話をＦＡＸキー・サーバーに転送してＦＡＸ受信をさせるとともに、図５の画面に変わり、ＦＡＸ受信中を表示する。拒否する場合、項目移動キーか数字キーで２を選択すれば、図７の画面に変わり、着信を遮断して、一定の時間（ここでは８秒とする）経過後、待受画面に戻る。図５のＦＡＸ受信中、携帯電話機はＦＡＸキー・サーバーのＵＲＬにアクセスして待機する。ＦＡＸキー・サーバーより受信完了識別信号を受取り、ＦＡＸキーの発光・変色・点滅のいずれかと、着信音でＦＡＸの受信を知らせる。尚、受信したＦＡＸ原稿を全て閲覧・削除・送信しなければ、発光・変色・点滅の状態を維持する。
【００３２】
ＦＡＸ受信時のＦＡＸキー・サーバーは、一般公衆回線と接続されたモデム部に、ＦＡＸキーを有する携帯電話機よりの通信転送か、オプションでＦＡＸキー・サーバーに割り振られた電話番号による直接通信がなされた時、タイミングをとって（例えば、1．5秒）、通信ポートを開き、ＣＮＧ（コーリング）信号を確認して、サーバーの保存部に受信ＦＡＸ原稿をセーブして、受信完了識別信号を携帯電話機に発信する。携帯電話機からの自動或いは手動にての通信転送によりＦＡＸ受信がなされた図５の状態の時の携帯電話機は、ＦＡＸキー・サーバーのＵＲＬにアクセスして、オンラインで待機中であるから、ＦＡＸキー・サーバーより受信完了識別信号を習得することができる。
【００３３】
しかし、オプションで割振った電話番号でＦＡＸキー・サーバーが直接ＦＡＸ受信した時や、自動及び手動受信中に携帯電話機の通信電波状態が悪く、ＦＡＸキー・サーバーが携帯電話機に受信完了識別信号を送信できない時、ＦＡＸキー・サーバーは携帯電話機とが接続状態になるまで、受信完了識別信号の送付を留保して、ＦＡＸ原稿受信通知メールを携帯電話機に送る。
【００３４】
図８は、ＦＡＸ受信の一連の処理手順のフローチャート図である。
【００３５】
図９・１０・１１・１２・１３・１４は、携帯電話機の待受画面からＦＡＸキーを押して起動した、ＦＡＸ送信・閲覧要求用画面の表示例であり、これらは携帯電話機の画面上に生成され、送信・閲覧項目の選択・決定用の命令枠である。ここから直接ＦＡＸ送信できるのは、請求項６・７・８の送信方法である。図９で、項目移動キーか数字キーで１を選択したら、図１０の画面に変わり、ＦＡＸ送信作業に移行する。項目移動キーか数字キーで２を選択すれば、図１７の画面に変わり、ＦＡＸ原稿の閲覧作業に移行する。中止・戻るの項目は、それぞれ作業を強制終了して待受画面に帰る事と一画面前の状態に戻る事である。尚、中止項目を選択すれば、「作業を終了しますが、よろしいか？Ｙｅｓ  ｏｒ  Ｎｏ」と云った、確認コメントを入れるのが好ましい。
【００３６】
図１０の送信先・送信原稿の選択項目は、図１５のＦＡＸ送信（２０００）で示す階層構造の選択・入力項目で構成される。ここでは階層構造は簡略してあるが、携帯電話機（２２１０）の画像保存部（２２１１）・電子メール部（２２１２）・テキスト文保存部（２２１３）は、実機では適宜の名称を与えられたフォルダーで、更に下位へ１〜２段の階層構造を採ることが多い。
【００３７】
図１０の送信先項目は、ＦＡＸ送信先するＦＡＸ電話番号の指示項目であり、項目移動キーか数字キーで１を選択して図１３へ移る。図１３で、送信先を図１５で示す処の電話帳（２１１０）を選択すれば、携帯電話機の電話帳からＦＡＸ電話番号（２１１１）を導き出して行う。入力（２１２０）を選択すれば、直接１０キーでＦＡＸ電話番号を入力（２１２１）する。
【００３８】
図１０の送信原稿項目は、ＦＡＸ送信したいファイル・原稿の指示項目であり、図１５の送信原稿（２２００）で示す階層構造の選択・入力項目で構成される。携帯電話機（２２１０）を選択すれば、携帯電話機の各データ保存部（携帯電話機本体及びメモリーカード）（２２１１・２２１２・２２１３）から、テキストファイル・電子メールファイル・画像ファイル等を選択する。ＦＡＸキー・サーバー（２２２０）を選択すれば、ＦＡＸキー・サーバーのＵＲＬにアクセスして、ＦＡＸ原稿受信部・保存部（２２２１）およびＦＡＸ原稿送信済部（２２２２）から送信原稿を選択する。図１４は、図１０の送信原稿項目を選択した時の階層項目の例示であり、ＦＡＸセンターとはＦＡＸキー・サーバーの実運用名称の一つの例示である。
【００３９】
図１０の送信原稿の指定で、請求項９・１０のＦＡＸ送信にあたる図１５での携帯電話機バッファ・メモリー（２２３０）やｗｅｂページ（２２４０）は、通常は選択できず、携帯電話機のカメラ撮影直後のバッファー・メモリー上に撮影画像ファイルがある時やｗｅｂページの閲覧中のみ選択でき、図９のＦＡＸ送信・閲覧の選択画面を経ずに、図１１・１２のＦＡＸ送信要求画面を起動する。
【００４０】
図１１は、携帯電話機のカメラ撮影で直後にＦＡＸキーを押して起動した、ＦＡＸ送信要求用画面の表示例である。送信原稿の項目には、今撮影した写真が指定される。
【００４１】
図１２は、ｗｅｂページ閲覧中にＦＡＸキーを押して起動した、ＦＡＸ送信要求用画面の表示例である。送信原稿の項目には、図では閲覧中のｗｅｂページのタイトルタグとなっているが、実運用ではｔｉｔｌｅタグがあれば、タグで記述されたタイトルを表示し、なければ、閲覧中のページと表示する。送信先の項目は、通常は電話帳による選択か１０キーによる入力であるが、ＦＡＸキー対応専用ｗｅｂページでは、ページから送信先を指定されることがある。
【００４２】
図１０・１１・１２のＦＡＸ送信要求画面で、タイトル項目は任意の入力項目であり、テキスト文により構成され、送信ＦＡＸ原稿のヘッダ部分に携帯電話機の電話番号等の発信元情報とともに付加される。
【００４３】
入力・選択が決まれば、ＦＡＸキーの一押しか、項目移動キーか数字キーで３を選択して項目確定キーを押し、ＦＡＸ送信を実行する。携帯電話機はＦＡＸキー・サーバーのＵＲＬにアクセスして、送信先電話番号と送信原稿の情報を送り、ＦＡＸキー・サーバーは、携帯電話機からの指令に基づき、携帯電話機から指定ファイルやｗｅｂページのＵＲＬを取得してＦＡＸ原稿に変換するか、ＦＡＸキー・サーバーにある指定のＦＡＸ原稿から、ＦＡＸ送信用原稿を生成して、公衆回線を通じて指定のＦＡＸ電話番号に送信する。
【００４４】
図１６は、ＦＡＸ送信の一連の処理手順のフローチャート図である。
【００４５】
図１７・１８・１９は、受信したＦＡＸ原稿の閲覧要求用画面の表示例である。携帯電話機の待受画面からＦＡＸキーを押して起動した図９より、閲覧項目を選択して、携帯電話機内に生成された、図１７の閲覧要求用画面に移る。図１７で、受信ＦＡＸ・保存ＦＡＸ・送信済ＦＡＸは、それぞれＦＡＸキー・サーバーの受信・保存・送信済の各部に対応しており、通信記録は通信管理部でのＦＡＸ送受信記録の確認用である。項目移動キーか数字キーで１・２・３を選択してＦＡＸキーか確定キーを押せば、サーバーの閲覧要求用ｗｅｂページのＵＲＬにアクセスして、ＦＡＸ原稿の受信・保存・送信済の各部の一覧選択用のｗｅｂページを習得する。図１８の受信ＦＡＸ原稿の一覧ｗｅｂページで、項目移動キーで１月１４日に東京商事からのＦＡＸ受信原稿が選択してあり、ＦＡＸキーを押すか覧る項目（４）を選択し確定キーを押せば、図１９のページに移動する。図１９で、画面中で中枠の右部と下部のスクロール指示部分の内側が、ＦＡＸキー・サーバーで生成した、ＦＡＸ原稿ビューア用ｗｅｂページであり、拡大（４）・縮小（５）項目とビューア枠の右・下部にあるスクロール部の操作で閲覧する。ＦＡＸキー・サーバーは、ＦＡＸキーからの一連の操作・指令で、指定されたＦＡＸ原稿をビューア枠内にＨＴＭＬ文書に変換して貼付け、受信したＦＡＸ原稿を全件数を表示したなら、閲覧完了識別信号を、携帯電話機に送り、ＦＡＸキーの発光・変色・点滅を解除する。
【００４６】
図１８・１９で、一覧より選択或いは閲覧したＦＡＸ原稿を、下部の指示命令項目の削除項目（２）を実行すれば、ＦＡＸキー・サーバー内より消去する。尚、「このＦＡＸ原稿を削除しますが、よろしいか？Ｙｅｓ  ｏｒ  Ｎｏ」と云った、確認コメントを入れるのが好ましい。また、保存項目（１）を実行すれば、ＦＡＸキー・サーバーのＦＡＸ保存部にＦＡＸ原稿を移す。
【００４７】
取込項目（６）は、一覧より選択或いは閲覧したＦＡＸ原稿を、携帯電話機にダウンロードする事である。ここでＦＡＸキー・サーバーで、ＦＡＸ原稿を携帯電話機と移動通信電話会社で扱える文書・画像ファイルに変換して、ダウンロードするのだが、二次的利用も考慮して、変換するファイルの種類を選択させる。図２０は、ＦＡＸキー・サーバーで生成された、取込要求用ｗｅｂページの表示例であり、ＦＡＸ原稿から変換するファイルのタイプを指定して、携帯電話機に取込み保存する。
【００４８】
図２１は、ＦＡＸ原稿を閲覧する、一連の処理手順を表すフローチャート図である
【００４９】
図２２は、ＦＡＸキーを有する携帯電話機に対応する専用ｗｅｂページの例示である。ｗｅｂページは実線の大枠であり、点線の枠が携帯電話機の画面で表示できる範囲で、画面を上下にスクロールする事で全体が閲覧できる。図２２のｗｅｂページは、注文するうどんと丼の数量を入力すると合計金額を自動計算で出し、注文番号に現在時刻を返し、名前・届先・電話番号の入力と決済方法の選択を求める仕様である。ここでは、携帯電話機での支払が選択してあり、決済項目を指示して、携帯電話機が契約する携帯電話会社のおサイフケイタイ（ＦｅｌｉＣａチップ（ＩＣチップ））の仕様に則って決済して、ｗｅｂページに決済番号を返してある。発注するために、ＦＡＸキーを押して、ＦＡＸ送信要求画面を立ち上げたのが図２３である。タイトル項目には、図２２のｗｅｂページで入力要求のあった、お客様番号が入力してあり、送信原稿項目には、ｗｅｂページのＨＴＭＬ文書で、ｔｉｔｌｅタグで記述されたタイトルを表示してある。送信先項目には、うどんの伊勢屋の着信側通話料負担の電話番号が指定されている。この着信側通話料負担と送信先項目のＦＡＸ電話番号を指示するｗｅｂページのＨＴＭＬ文書の記述例が図２５である。該ｗｅｂページを記述するＨＴＭＬ文書で、ｈｅａｄタグの中で、ｔｉｔｌｅタグの次に、＜ｍｅｔａ  ｎａｍｅ  ＝”ｄｅｓｃｒｉｐｔｉｏｎ”  ｃｏｎｔｅｎｔ＝”ＦＡＸ送信料負担”＞  ＜！−−０３３−２２２−＊＊＊＊（実際の電話番号）−−＞ と記述する。ＦＡＸキー・サーバーは、ＨＴＭＬ文書からＦＡＸ原稿への変換時に、ｈｅａｄタグで、ＦＡＸ送信料負担の記述の有無を判断して、ＦＡＸ送信料を該ｗｅｂページ開設者に課金し、次にコメントタグ<!-- -->で電話番号が記載されていれば、引数として送信先に指定し、携帯電話機へ送信先の電話番号を送り、図２３の画面の送信先項目で表示する。コメントタグで電話番号が記述されていなければ、送信先項目は通常の電話帳による選択か１０キーによる入力である。
【００５０】
図２４は、専用ｗｅｂページを使ったチケット発給の例示である。ホームページで名前等を入力して、チケット発給ｗｅｂページへ移った処である。図２２と同様に、ＦＡＸ送信料は該ｗｅｂページ開設者に課金であるが、送信先は携帯電話機側で指定する任意の電話番号である。
【００５１】
図２４のｗｅｂページは無料のチケット発給であるが、有料のチケットならば、図２２のようにｗｅｂページで決済してＦＡＸ送信すれば、速やかにチケットを入手できる。この仕組みを利用すれば、母の日に、遠く離れたお母さんに食事券を思い立ったので直ぐ送ると言った芸当もできる。
【００５２】
前段までのＦＡＸキー専用ｗｅｂページは、ＦＡＸ送信通信料の負担の有無と送信先の指定の有無をＨＴＭＬ文書に記述すればよく、ＦＡＸキー・サーバーを利用することで、比較的容易に画像や文書の配信システムを構築できる。
【００５３】
図２６は、ＦＡＸキー・サーバーのハードウエア主要構成のブロック図である。実運用では、ＦＡＸキー・サーバーはインターネット網上に多数存在し、管理用ｗｅｂサーバーを介して管理し、互いに連関される。それぞれのＦＡＸキー・サーバーのモデム部（１１１）とＩＰ部（１１２）は、一般公衆回線とインターネット網との入出力を司り、それぞれ、ＦＡＸ機と携帯電話機が連なる。モデム部及びＩＰ部は共有され、送信先に近い公衆回線を選択することで通信料の逓減を図る。プログラム部（１３０）はＣＰＵ部（１２０）で各種の処理の指示命令を行い、ＦＡＸ受信部・保存部・送信済部（１４０）には送受信したＦＡＸ原稿を格納する。通信管理部（１５０）ではＦＡＸ送受信の通信記録と送信料の課金を管理する。ＦＡＸキー専用ｗｅｂページで、送信料をｗｅｂページ開設者が負担する場合の課金の管理もここで行い、ｗｅｂページのＦＡＸ送信の指令者も特定できることから、過度の送信等の不正行為の防止をここで担保する。
【００５４】
図２７・２８は、ＦＡＸキー・サーバーでの、パソコンからのログイン画面及び閲覧・操作要求用画面の表示例である。ＦＡＸキー・サーバーで生成したパソコン用ｗｅｂページで、パソコンから、携帯電話番号・ＩＤ・パスワードの入力後、ＦＡＸキーを有する携帯電話機と同様に閲覧及びＦＡＸ送信等の指示を受付る。これによって、送受信したＦＡＸ原稿のバックアップや加工や印刷等の二次利用ができ、またパソコンからテキスト文や画像（ＰＤＦも含む）ファイルをＦＡＸキー・サーバーに送り、ＦＡＸ原稿に変換して、ＦＡＸ送信したり、ＦＡＸ送信保存部に保存することもできる。
【００５５】
最寄りのコンビニエンスストアー等の公衆ＦＡＸサービスがある処や、訪問先のＦＡＸ機で、ＦＡＸキー・サーバーに保存してあるＦＡＸ原稿を、必要に応じて紙文書として取り出すといった使い方もできる。また、予め２者以上で携帯電話番号・ＩＤ・パスワードを共有すれば、ＦＡＸキーを有する携帯電話機を利用して送受信したＦＡＸ原稿が、インターネット網に接続可能であれば、世界中どこでも共同利用が可能になる。
【図面の簡単な説明】
【００５６】
【図１】ボタン押下式ＦＡＸキーを有する携帯電話機を表す図である。
【図２】タッチパネル式アイコン型ＦＡＸキーを有する携帯電話機を表す図である。
【図３】指示ポインター式アイコン型ＦＡＸキーを有する携帯電話機を表す図である。
【図４】ＦＡＸキーを有する携帯電話機とＦＡＸキー・サーバーと、ＦＡＸ送受信に関与する各種機器との、一般公衆回線及びインターネット網との接続状態を表す図である。
【図５】ＦＡＸキーを有する携帯電話機の画面で、ＦＡＸ受信中を表す図である。
【図６】ＦＡＸキーを有する携帯電話機の画面で、ＦＡＸの受信をするか否かの選択を表す図である。
【図７】ＦＡＸキーを有する携帯電話機の画面で、ＦＡＸの受信拒否を表す図である。
【図８】ＦＡＸキーを有する携帯電話機とＦＡＸキー・サーバーとでの、ＦＡＸ受信の処理手順を表すフローチャート図である。
【図９】ＦＡＸキーを有する携帯電話機の画面で、ＦＡＸキーを操作して起動した、ＦＡＸ送信やＦＡＸ原稿の閲覧を選択する命令枠を表す図である。
【図１０】ＦＡＸキーを有する携帯電話機の画面で、ＦＡＸ送信する送信先電話番号や送信ファイルを指定する命令枠を表す図である。
【図１１】ＦＡＸキーを有する携帯電話機の画面で、カメラ撮影直後にＦＡＸキーを操作して起動した、ＦＡＸ送信する送信先電話番号を指定する命令枠を表す図である。
【図１２】ＦＡＸキーを有する携帯電話機の画面で、ｗｅｂページ閲覧中にＦＡＸキーを操作して起動した、ＦＡＸ送信する送信先電話番号を指定する命令枠を表す図である。
【図１３】ＦＡＸキーを有する携帯電話機の画面で、ＦＡＸ送信命令枠で送信先項目選択して起動した、送信先電話番号を決定する命令枠を表す図である。
【図１４】ＦＡＸキーを有する携帯電話機の画面で、ＦＡＸ送信命令枠で送信原稿項目選択して起動した、送信原稿を決定する命令枠を表す図である。
【図１５】ＦＡＸ送信の選択・入力項目を階層構造で表す図である。
【図１６】ＦＡＸ送信の処理手順を表すフローチャート図である
【図１７】ＦＡＸキーを有する携帯電話機の画面で、受信したＦＡＸ原稿や通信記録の閲覧を指定する命令枠を表す図である。
【図１８】ＦＡＸキーを有する携帯電話機の画面で、ＦＡＸキー・サーバーの受信部にある、受信ＦＡＸ原稿一覧より閲覧原稿を指定する命令枠を表す図である。
【図１９】ＦＡＸキーを有する携帯電話機の画面で、ＦＡＸキー・サーバーの受信ＦＡＸ原稿ビューアと原稿の操作を指定する命令枠を表す図である。
【図２０】ＦＡＸキーを有する携帯電話機の画面で、ＦＡＸキー・サーバーのＦＡＸ原稿の取込操作を指定する命令枠を表す図である。
【図２１】ＦＡＸ原稿の閲覧の処理手順を表すフローチャート図である
【図２２】ＦＡＸキーを有する携帯電話機に対応する専用ｗｅｂページで、注文受付の例示を表す図である。
【図２３】ＦＡＸキーを有する携帯電話機の画面で、ＦＡＸキーを操作して起動した、専用ｗｅｂページのＦＡＸ送信を指定する命令枠を表す図である。
【図２４】ＦＡＸキーを有する携帯電話機に対応する専用ｗｅｂページで、チケット発給の例示を表す図である。
【図２５】ＦＡＸキーを有する携帯電話機に対応する専用ｗｅｂページで、ＦＡＸキー・サーバーに、着信側通話料負担と送信先項目のＦＡＸ電話番号を指示するＨＴＭＬ文書の記述の１例を示す図である。
【図２６】ＦＡＸキー・サーバーのハードウエア主要構成のブロック図である。
【図２７】ＦＡＸキー・サーバーへのパソコンからのログイン画面を表す図である。
【図２８】ＦＡＸキー・サーバーへのパソコンからの操作画面を表す図である
【図１】
2009141974.tif 000003
【図２】
2009141974.tif 000004
【図３】
2009141974.tif 000005
【図４】
2009141974.tif 000006
【図５】
2009141974.tif 000007
【図６】
2009141974.tif 000008
【図７】
2009141974.tif 000009
【図８】
2009141974.tif 000010
【図９】
2009141974.tif 000011
【図１０】
2009141974.tif 000012
【図１１】
2009141974.tif 000013
【図１２】
2009141974.tif 000014
【図１３】
2009141974.tif 000015
【図１４】
2009141974.tif 000016
【図１５】
2009141974.tif 000017
【図１６】
2009141974.tif 000018
【図１７】
2009141974.tif 000019
【図１８】
2009141974.tif 000020
【図１９】
2009141974.tif 000021
【図２０】
2009141974.tif 000022
【図２１】
2009141974.tif 000023
【図２２】
2009141974.tif 000024
【図２３】
2009141974.tif 000025
【図２４】
2009141974.tif 000026
【図２５】
2009141974.tif 000027
【図２６】
2009141974.tif 000028
【図２７】
2009141974.tif 000029
【図２８】
2009141974.tif 000030